(57)【要約】【課題】搭載される機器の種別やインタフェース使用に応じたＡＶデータ処理や著作権保護処理を行えるようにする。【解決手段】本発明に係るＡＶ通信システムは、無線でＡＶデータを送信する無線ＡＶ送信装置と、無線ＡＶ送信装置からのＡＶデータを無線ネットワークを介して受信する無線ＡＶ受信装置とを備えている。無線ＡＶ装置内の無線ＬＡＮ−ＬＳＩ４は、ＡＶストリーム用信号線を介して供給されたＡＶデータについては著作権保護処理を行ってから無線送信し、汎用バスを介して供給されたＡＶデータについてはそのまま無線送信するような無線ＬＡＮ−ＬＳＩ４を無線ＡＶ送信装置１内に設けるため、ＡＶ専用信号線を有する無線ＡＶ送信装置１でも、汎用バスを有する無線ＡＶ送信装置１でも、同一の無線ＬＡＮ−ＬＳＩ４を利用でき、それぞれ別個にＬＳＩを開発しなくて済むことから、ＬＳＩの開発コスト削減が図れる。【選択図】  図４
2004186812.tif 000002
【特許請求の範囲】
【請求項１】
ＡＶデータを伝送するためのＡＶストリームインターフェースと、ＡＶデータを伝送可能な汎用バスインターフェースとを備え、前記ＡＶストリームインターフェースから入力されたＡＶデータと、前記汎用バスインターフェースから入力されたＡＶデータと、のいずれか一方を選択する第１の選択手段と、
前記第１の選択手段で選択されたデータをネットワーク上に送信する制御を行う送信制御手段と、を備えることを特徴とするＡＶ通信制御集積回路。
【請求項２】
前記ＡＶストリームインターフェースから著作権保護処理がなされていないＡＶデータを取り込む第１の外部接続端子と、
前記汎用バスインターフェースから著作権保護処理がなされたＡＶデータを取り込む第２の外部接続端子と、
前記第１の外部接続端子から取り込んだＡＶデータに対して、所定の著作権保護処理を行う著作権保護処理手段と、を備え、
前記第１の選択手段は、前記著作権保護処理手段で著作権保護処理がなされたＡＶデータと、前記第２の外部接続端子から取り込んだ著作権保護処理がなされたＡＶデータと、のいずれか一方を選択することを特徴とする請求項１に記載のＡＶ通信制御集積回路。
【請求項３】
前記ＡＶストリームインターフェース及び前記汎用バスインターフェースのいずれにも接続可能な外部接続端子と、
前記外部接続端子で取り込んだＡＶデータをＡＶストリーム用内部信号線に供給するか、汎用内部バスに供給するかを選択する第２の選択手段と、
前記第１及び第２の選択手段の選択動作を同期させて行う選択制御手段と、を備え、
前記第１の選択手段は、前記ＡＶストリーム用内部信号線上のＡＶデータと、前記汎用内部バス上のＡＶデータと、のいずれか一方を選択することを特徴とする請求項１に記載のＡＶ通信制御集積回路。
【請求項４】
前記ＡＶストリーム用内部信号線上のＡＶデータに対して、所定の著作権保護処理を行う著作権保護処理手段を備え、
前記外部接続端子は、前記汎用バスインターフェースに接続された場合には、前記汎用バスインターフェースから著作権保護処理がなされたＡＶデータを取り込み、
前記第１の選択手段は、前記著作権保護処理手段で著作権保護処理がなされたＡＶデータと、前記汎用内部バス上の著作権保護処理がなされたＡＶデータと、のいずれか一方を選択することを特徴とする請求項３に記載のＡＶ通信制御集積回路。
【請求項５】
ネットワークを介してＡＶデータを受信する制御を行う受信制御手段と、
前記受信されたＡＶデータを、ＡＶデータ伝送用のＡＶストリーム用内部信号線に供給するか、ＡＶデータが伝送可能な汎用内部バスに供給するかを選択する第１の選択手段と、を備えることを特徴とするＡＶ通信制御集積回路。
【請求項６】
ＡＶストリームインターフェースを介してＡＶデータを供給する第１の接続端子と、
汎用バスインターフェースを介してＡＶデータを供給する第２の接続端子と、
前記第１の選択手段にて、前記ＡＶストリーム用内部信号線に供給されるＡＶデータが選択されると、該ＡＶデータに対して所定の著作権保護処理を行う著作権保護処理手段と、を備え、
前記第１の接続端子は、前記著作権保護処理手段で著作権保護処理を行った後のＡＶデータを前記ＡＶストリームインターフェースに供給し、
前記第２の接続端子は、前記汎用内部バス上のＡＶデータを著作権保護処理を行わずに前記汎用バスインターフェースに供給することを特徴とする請求項５に記載のＡＶ通信制御集積回路。
【請求項７】
前記ＡＶストリーム用内部信号線及び前記汎用内部バスのいずれにも接続可能な外部接続端子と、
前記ＡＶストリーム用内部信号線上のＡＶデータ及び前記汎用内部バス上のＡＶデータのいずれかを選択して前記外部接続端子に供給する第２の選択手段と、
前記第１及び第２の選択手段の選択動作を同期させて行う選択制御手段と、を備えることを特徴とするＡＶ通信制御集積回路。
【請求項８】
前記第１の選択手段にて、前記ＡＶストリーム用内部信号線に供給されるＡＶデータが選択されると、該ＡＶデータに対して所定の著作権保護処理を行う著作権保護処理手段を備え、
前記第２の選択手段は、前記著作権保護処理手段により著作権保護処理がなされたＡＶデータと、前記汎用内部バス上のＡＶデータと、のいずれかを選択して前記外部接続端子に供給することを特徴とする請求項７に記載のＡＶ通信制御集積回路。
【請求項９】
計算機に、
著作権保護処理がなされていないＡＶデータを伝送するためのＡＶストリームインターフェースから入力されたＡＶデータと、著作権保護処理がなされたＡＶデータを伝送可能な汎用バスインターフェースから入力されたＡＶデータと、のいずれか一方を選択するデータ選択手段と、
前記ＡＶストリームインターフェースから入力されたＡＶデータに対して、所定の著作権保護処理を行う著作権保護処理手段と、
前記データ選択手段で選択されたデータをネットワーク上に送信する制御を行う送信制御手段と、して機能させるためのＡＶ通信制御プログラム。
【請求項１０】
計算機に、
ネットワークを介してＡＶデータを受信する制御を行う受信制御手段と、
前記受信されたＡＶデータを、ＡＶデータ伝送用のＡＶストリーム用内部信号線に供給するか、ＡＶデータが伝送可能な汎用内部バスに供給するかを選択する第１の選択手段と、
前記第１の選択手段にて、前記ＡＶストリーム用内部信号線に供給されるＡＶデータが選択されると、該ＡＶデータに対して所定の著作権保護処理を行う著作権保護処理手段と、して機能させ、
前記ＡＶストリーム用内部信号線上のＡＶデータが、前記著作権保護処理手段で著作権保護処理がなされた後に出力されるように機能させるＡＶ通信制御プログラム。
【発明の詳細な説明】
【０００１】
【発明の属する技術分野】
本発明は、著作権保護を図りつつＡＶデータを送信または受信するＡＶ通信制御集積回路及びＡＶ通信制御プログラムに関する。
【０００２】
【従来の技術】
デジタル情報家電と呼ばれる商品が普及しつつある。これらは、デジタル放送の開始などに伴い、さらに普及が期待される商品群であり、デジタル放送対応テレビや、セットトップボックス、デジタルＶＴＲ、ＤＶＤプレーヤ、ハードディスクレコーダ等、デジタルデータやデジタルコンテンツを扱う商品すべてが対象となる。
【０００３】
デジタルデータやデジタルコンテンツは、複製しても品質が劣化せず、複製も容易に行えるため、予め著作権保護に対する対策を考慮しておく必要がある。例えば、デジタルＡＶ機器同士をつなぐデジタルネットワークであるＩＥＥＥ１３９４には、認証・鍵交換機構や、データの暗号化の機能が兼ね備えられている。
【０００４】
ここで、ある送信装置から、著作権保護が必要なＡＶデータを、受信装置に転送する場合を考える。ここで注意すべきは、個人（あるいは、拡大解釈して家族）の楽しむ範囲内でＡＶデータのやり取りを行うのが著作権保護の前提であり、第三者とのＡＶデータのやりとりは（著作権者の許可が伴わない限り）行われるべきでは無いという点である。
【０００５】
第三者とのデータのやり取りは、インターネット等の公衆網を介して行い、個人や家庭内でのデータのやり取りは、ＩＥＥＥ１３９４や無線ネットワーク等の閉じたホームネットワーク内で行われることが多い。
【０００６】
ＩＥＥＥ１３９４は、デジタルＡＶ機器同士を接続する代表的なデジタルネットワークであり、認証・鍵交換機構や、データの暗号化の機能を兼ね備えている。この仕組みをＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）と言う（非特許文献１参照）。基本的には、ＩＥＥＥ１３９４のＬＳＩの内部に、ＤＴＣＰ暗号化や認証・鍵交換の仕組みを持ち、保護すべきＡＶデータをＩＥＥＥ１３９４を介して送受信する場合に、ＩＥＥＥ１３９４に送信する直前で暗号化を施し、受信直後に復号化を施す仕組みを兼ね備えていることが多い（特許文献１を参照）。
【０００７】
今後注目すべきは家庭内無線ＬＡＮである。無線ＬＡＮの規格の１つであるＩＥＥＥ８０２．１１規格は、オフィス／家庭で急速に普及しており、今後、無線ＬＡＮ上で保護が必要なＡＶデータのやり取りを行う可能性もきわめて高い。
【０００８】
この種の無線ＬＡＮにおいても、著作権保護の仕組みを検討する必要があり、この仕組みは、ＩＥＥＥ１３９４の経験則から言って、無線ＬＡＮのＬＳＩに組み込まれれる可能性が高い。
【０００９】
しかしながら、今までの無線ＬＡＮは、基本的にはパーソナルコンピュータ（以下、ＰＣ）用ネットワークを対象としていた。ＰＣにおける無線ＬＡＮインタフェース（ＰＣのＣＰＵと無線ＬＡＮとのインタフェース）は、ＰＣＩバスに代表される汎用バスを介して行われる。このため、無線ＬＡＮの集積回路は、ＰＣＩバスインタフェースを持っていることが多い。
【００１０】
【特許文献１】
特開２００１−３０８７７５公報
【非特許文献１】
ｈｔｔｐ：／／ｗｗｗ．ｄｔｌａ．ｃｏｍにて取得可能に開示されている文書
【００１１】
【発明が解決しようとする課題】
一方、今後は、テレビやＤＶＤ等の、いわゆるＡＶ機器に無線ＬＡＮが搭載される可能性が高い。これらのＡＶ機器における、ＡＶ処理部（ＡＶデコーダなど）とネットワークとのインタフェースは、同期の確保などの様々な理由により、ＡＶストリームデータを直接やり取りするインタフェースが一般的である。よって、無線ＬＡＮの集積回路は、このＡＶストリームインタフェースを持つことが望まれる。また、著作権保護の機能の搭載も必須である。
【００１２】
しかしながら、無線ＬＡＮの集積回路内に著作権保護の機能を持たせると、無線ＬＡＮの集積回路に入出力されるＡＶデータは、暗号化されていない生のデータになってしまう。これは、ＰＣＩバス等の汎用バスに、生のデータが流れることを意味する。一般的なパソコンでは、汎用バス上のデータを特定の領域に保持するというプログラムを作成するのは比較的容易であるため、汎用バス上に生のＡＶデータが流れてしまうことは問題である。
【００１３】
本発明は、このような点に鑑みてなされたものであり、その目的は、搭載される機器の種別やインタフェース使用に応じたＡＶデータ処理や著作権保護処理を行うことのできる効率的なＡＶ通信制御集積回路及びＡＶ通信制御プログラムを提供することにある。
【００１４】
【課題を解決するための手段】
上述した課題を解決するために、本発明は、ＡＶデータを伝送するためのＡＶストリームインターフェースから入力されたＡＶデータと、ＡＶデータを伝送可能な汎用バスインターフェースから入力されたＡＶデータと、のいずれか一方を選択する第１の選択手段と、前記第１の選択手段で選択されたデータをネットワーク上に送信する制御を行う送信制御手段と、を備える。
【００１５】
また、本発明は、ネットワークを介してＡＶデータを受信する制御を行う受信制御手段と、前記受信されたＡＶデータを、ＡＶデータ伝送用のＡＶストリーム用内部信号線に供給するか、ＡＶデータが伝送可能な汎用内部バスに供給するかを選択する第１の選択手段と、を備える。
【００１６】
【発明の実施の形態】
以下、本発明に係るＡＶ通信制御集積回路及びＡＶ通信制御プログラムについて、図面を参照しながら具体的に説明する。
【００１７】
図１は本発明に係るＡＶ通信システムの一実施形態の全体構成を示すブロック図である。図１のＡＶ通信システムは、無線でＡＶデータを送信する無線ＡＶ送信装置１と、無線ＡＶ送信装置１からのＡＶデータを無線ネットワーク２を介して受信する無線ＡＶ受信装置３とを備えている。
【００１８】
図１の無線ネットワーク２は、家庭内のネットワークを念頭に置いているが、必ずしも無線である必要はなく、イーサネット等の有線ネットワークでもよいし、無線ネットワーク２と有線ネットワークがブリッジ接続された混在ネットワークでもよい。
【００１９】
無線ネットワーク２は、例えば、ＩＥＥＥ８０２．１１ａやＩＥＥＥ８０２．１１ｂ等の無線ＬＡＮである。
【００２０】
無線ＡＶ送信装置１は、テレビやセットトップボックス、ＤＶＤプレーヤ等のＡＶデータのソースデバイスとなりうる機器である。一般的なテレビやセットトップボックスは、ＭＰＥＧ処理部と無線ＬＡＮ−ＬＳＩ間に大きなデータバッファを持っていない代わりに、ＡＶストリームや同期クロック等を直接やり取りするインターフェースを持っている。
【００２１】
一方、無線ＡＶ受信装置３は、テレビ等の表示装置、スピーカ、あるいは録画・録音装置といった、ＡＶデータのシンクデバイスとなりえる機器である。
【００２２】
図２は図１の無線ＡＶ送信装置１の内部構成の一例を示すブロック図である。このブロック構成は、主にＤＶＤプレーヤ等のＡＶ専用機器で用いられるものである。図２の無線ＡＶ送信装置１は、無線ＬＡＮ−ＬＳＩ４とＭＰＥＧ処理部５とを有する。ＭＰＥＧ処理部５は、例えば、映像信号をＭＰＥＧエンコードする機能を持つＭＰＥＧエンコーダや、映像信号（例えばテレビ放送）を受信する機能を持つＭＰＥＧ受信部や、映像信号を蓄積する機能（例えばハードディスクやＤＶＤ）を持つＭＰＥＧ蓄積部などで構成される。また、ＭＰＥＧ処理部５は、無線ＬＡＮ−ＬＳＩ４に対して、著作権保護を行なうべきデジタルＡＶデータを送信する機能も持っている。
【００２３】
ＭＰＥＧ処理部５には、ＭＰＥＧデータとクロックを出力する少なくとも一つの端子が設けられ、この端子に無線ＬＡＮ−ＬＳＩ４が接続される。
【００２４】
無線ＬＡＮ−ＬＳＩ４は、無線ＬＡＮの送受信制御を行う機能の他に、著作権保護やＡＶデータのフォーマット処理を行う機能も持っている。
【００２５】
図３は図１の無線ＡＶ送信装置１の内部構成の他の例を示すブロック図である。このブロック構成は、主にＰＣで用いられるものである。図３の無線ＡＶ送信装置１は、ＰＣＩバス等の汎用バス６に接続されたＣＰＵ７、メモリ８及び無線ＬＡＮ−ＬＳＩ４を有する。
【００２６】
ＣＰＵ７は、ＭＰＥＧ処理をソフトウェアにより実行する。なお、ＣＰＵ７の内部に、ＭＰＥＧ処理をハードウェアで実行する機能ブロックを設けてもよい。
【００２７】
ＣＰＵ７の処理能力は、年々飛躍的に高くなっているため、ソフトウェアでＭＰＥＧ処理を行う図３のような構成が急速に普及するものと思われる。
【００２８】
図２及び図３の無線ＡＶ送信装置のいずれにも対応した無線ＬＡＮ−ＬＳＩ４を別個に開発するのは、コスト的に無駄が多いため、できれば、同一の無線ＬＡＮ−ＬＳＩ４を図２と図３の無線ＡＶ送信装置１のどちらにも利用できるようにするのが望ましい。
【００２９】
図４は図２及び図３の無線ＡＶ送信装置のどちらでも利用可能な無線ＬＡＮ−ＬＳＩ４の内部構成の一例を示すブロック図である。図４の無線ＬＡＮ−ＬＳＩ４は、クロック送信部１１と、ＤＴＣＰ処理部１２と、汎用バスＩ／Ｆ部１３と、バッファ１４と、セレクタ１５と、Ｉ／Ｆ選択部１６と、無線ＬＡＮ処理部１７とを有する。
【００３０】
クロック送信部１１は、外部から入力されたＡＶデータの同期クロックを、無線ＬＡＮ処理部を介して、無線ＬＡＮ側に出力する。ＤＴＣＰ処理部１２は、図２のＭＰＥＧ処理部５からＡＶストリーム用信号線を介して供給されるＡＶデータに対してＤＴＣＰ著作権保護処理を行う。バッファ１４は、図３のＣＰＵ７から汎用バスと汎用バスＩ／Ｆ部１３を介して供給されるＡＶデータを一時的に記憶する。
【００３１】
セレクタ１５は、ＤＴＣＰ処理部１２で著作権保護処理を行ったＡＶデータと、汎用バスから著作権保護処理を行わずに供給されたＡＶデータとのいずれか一方を選択する。セレクタ１５の選択は、Ｉ／Ｆ選択部１６が行う。セレクタ１５で選択されたＡＶデータは、無線ＬＡＮ処理部１７で変調されて無線ネットワーク２に送出される。
【００３２】
ＡＶストリーム用信号線を介して供給されたＡＶデータに対して、ＤＴＣＰ処理部１２で著作権保護処理を行う理由は、図２の無線ＡＶ送信装置の場合、ＭＰＥＧ処理部５と無線ＬＡＮ−ＬＳＩ４との間のＡＶストリーム用信号線は他のどこにも接続されておらず、このＡＶストリーム用信号線上のＡＶデータに対して著作権保護処理を行う必要はないためであり、ＡＶデータが無線ＬＡＮ−ＬＳＩ４に入力されてから、著作権保護処理を行うようにしている。
【００３３】
一方、図３の無線ＡＶ送信装置１の場合、汎用バスを用いてＡＶデータをやり取りするため、無線ＬＡＮ−ＬＳＩ４の内部で著作権保護処理を行うようにすると、暗号化されていない生のＡＶデータが汎用バス上を通ることになり、汎用バスに接続されたＡＶキャプチャ装置などにより、ＡＶデータを不正に取得されるおそれがある。そこで、図３の無線ＡＶ送信装置１の場合、ＣＰＵ７側でソフトウェアにより著作権保護処理を行って、暗号化されたＡＶデータを汎用バスに供給するようにしている。したがって、無線ＬＡＮ−ＬＳＩ４の内部では、著作権保護処理を行う必要がない。
【００３４】
図４の無線ＬＡＮ−ＬＳＩ４は、ＡＶストリーム用信号線に接続される外部接続端子ｔ１と、汎用バスに接続される外部接続端子ｔ２とを有する。無線ＬＡＮ−ＬＳＩ４には、他にも多数の端子が設けられるため、できるだけ端子の数を減らすのが望ましい。
【００３５】
そこで、図５は、ＡＶデータの入力端子を一つにまとめた無線ＬＡＮ−ＬＳＩ４の内部構成の一例を示すブロック図である。図５では、図４と共通する構成部分には同一符号を付しており、以下では相違点を中心に説明する。
【００３６】
図５の無線ＬＡＮ−ＬＳＩ４は、ＡＶストリーム用信号線及び汎用バスのいずれにも接続可能な単一の外部接続端子ｔ３と、この外部接続端子ｔ３に接続されるセレクタ１８とを有する。このセレクタ１８は、外部接続端子ｔ３に入力されたＡＶデータをＡＶストリーム用内部バスに供給するか、汎用内部バスに供給するかを選択するものであり、セレクタと同様に、Ｉ／Ｆ選択部１６により選択される。Ｉ／Ｆ選択部１６は、セレクタ１５，１８の選択を互いに同期させて行う。
【００３７】
図６は図１の無線ＡＶ受信装置３の内部構成の一例を示すブロック図である。このブロック構成は、主にＤＶＤプレーヤ等のＡＶ専用機器で用いられるものである。図６の無線ＡＶ受信装置３は、無線ＬＡＮ−ＬＳＩ２１と、受信されたＭＰＥＧ形式のＡＶデータをデコードするＭＰＥＧデコーダ２２と、受信されたＡＶデータを表示部２３に表示する制御を行う表示制御部２４とを有する。
【００３８】
無線ＬＡＮ−ＬＳＩ２１は、無線ＬＡＮの送受信制御、著作権保護のための処理、及びＡＶデータのフォーマット処理などを行う。
【００３９】
図７は図１の無線ＡＶ受信装置３の内部構成の他の例を示すブロック図である。このブロック構成は、主にＰＣで用いられるものである。図７の無線ＡＶ受信装置３は、ＰＣＩバス等の汎用バス２５に接続されたＣＰＵ２６、メモリ２７、表示メモリ＆表示装置２８及び無線ＬＡＮ−ＬＳＩ２１を有する。
【００４０】
ＣＰＵ２６は、ＭＰＥＧ方式のＡＶデータのデコード処理とメモリ２７への格納処理をソフトウェアにより行う。
【００４１】
図８は図６及び図７の無線ＡＶ受信装置のいずれにも対応した無線ＬＡＮ−ＬＳＩ２１の内部構成の一例を示すブロック図である。図８の無線ＬＡＮ−ＬＳＩ２１は、無線ＬＡＮ処理部３１と、クロック抽出部３２と、セレクタ３３と、Ｉ／Ｆ選択部３４と、ＤＴＣＰ処理部３５と、バッファ３６と、汎用バスＩ／Ｆ部３７とを有する。
【００４２】
無線ＬＡＮ処理部３１は、無線ネットワーク２を介してＡＶデータを含む無線信号を受信する。クロック抽出部３２は、受信した無線信号から、ＡＶデータに同期するクロックを抽出する。
【００４３】
セレクタ３３は、Ｉ／Ｆ選択部３４からの信号に基づいて、受信した無線信号に含まれるＡＶデータをＡＶストリーム用信号線に供給するか、汎用バスに供給するかを選択する。セレクタ３３で選択されたＡＶストリーム用信号線用のＡＶデータは、ＤＴＣＰ処理部３５で復号された後に、ＡＶストリーム用信号線に供給される。一方、セレクタ３３で選択された汎用バス用のＡＶデータは、バッファ３６に一時的に格納された後、汎用バスＩ／Ｆ部３７を介して、汎用バスに供給される。
【００４４】
図８の無線ＬＡＮ−ＬＳＩ２１からＡＶストリーム用信号線に供給されたＡＶデータは、図６のＭＰＥＧデータに入力されてデコードされる。また、図８の無線ＬＡＮ−ＬＳＩ２１から汎用バスに供給されたＡＶデータは、図７のＣＰＵ２６に入力されてソフトウェアによりデコードされる。
【００４５】
図８の無線ＬＡＮ−ＬＳＩ２１は、ＡＶストリーム用信号線に接続される外部接続端子ｔ４と、汎用バスに接続される外部接続端子ｔ５とを有する。これらの端子を一つにまとめた無線ＬＡＮ−ＬＳＩ２１の内部構成は図９に示される。図９では、図８と共通する構成部分には同一符号を付しており、以下では相違点を中心に説明する。
【００４６】
図９の無線ＬＡＮ−ＬＳＩ２１は、ＡＶストリーム用信号線及び汎用バスのいずれにも接続可能な単一の外部接続端子ｔ６と、この外部接続端子ｔ６に接続されるセレクタ３８とを有する。このセレクタ３８は、ＤＴＣＰ処理部３５から出力されたＡＶデータと汎用バスＩ／Ｆ部３７から出力されたＡＶデータとのいずれかを選択して、外部接続端子ｔ６に供給する。このセレクタ３８は、セレクタ３３と同様に、Ｉ／Ｆ選択部３４により選択される。Ｉ／Ｆ選択部３４は、セレクタ３３，３８の選択を互いに同期させて行う。
【００４７】
図１０は図１のＡＶ通信システムにおけるＡＶデータの送受信シーケンスを示す図である。まず、無線ＡＶ受信装置３から無線ＡＶ送信装置１に、例えばＴＣＰ／ＩＰにて、ＡＶデータの再生を要求するＡＶ制御コマンドを送信する（ステップＳ１）。
【００４８】
この要求を受けて、無線ＡＶ送信装置１は、ＡＶデータを暗号化する（ステップＳ２）。次に、無線ＡＶ送信装置１は、無線ＡＶ受信装置３に、例えばＲＴＰ／ＩＰにてＡＶデータを送信する（ステップＳ３）。このとき、著作権保護が必要なＡＶデータの場合は、ＤＴＣＰ暗号化を行い、送信ポート番号＝＃ｘ、受信ポート番号＝＃ｙ、ＴＴＬ（Ｔｉｍｅ  Ｔｏ  Ｌｉｖｅ）＝１をして送信する。
【００４９】
暗号化されているＡＶデータを受信した無線ＡＶ受信装置３は、このＡＶデータを受信した時点で、暗号化されていることを認識する。そして、特定のＩＰアドレスやポート番号（あるいはＳＳＲＣ等のＲＴＰコネクションを特定可能な番号）を付与した上で、該ＲＴＰコネクションについての認証鍵交換を要求する（ステップＳ４）。
【００５０】
この要求に対して無線ＡＶ送信装置１が応じると、無線ＡＶ送信装置１と無線ＡＶ受信装置３との間で、無線レイヤパケットまたはイーサネットフレームを用いて認証・鍵交換手順を行う（ステップＳ５）。その結果、無線ＡＶ受信装置３は復号鍵を入手し（ステップＳ６）、この復号鍵を用いてＡＶコンテンツを復号する。
【００５１】
このように、本実施形態では、ＡＶストリーム用信号線を介して供給されたＡＶデータについては著作権保護処理を行ってから無線送信し、汎用バスを介して供給されたＡＶデータについてはそのまま無線送信するような無線ＬＡＮ−ＬＳＩ４を無線ＡＶ送信装置１内に設けるため、ＡＶストリーム用信号線を有する無線ＡＶ送信装置１でも、汎用バスを有する無線ＡＶ送信装置１でも、同一の無線ＬＡＮ−ＬＳＩ４を利用でき、それぞれ別個にＬＳＩを開発しなくて済むことから、ＬＳＩの開発コスト削減が図れる。
【００５２】
また、本実施形態では、受信された無線信号に含まれるＡＶデータをＡＶストリーム用信号線に伝送する場合には、著作権保護処理を行ってから伝送し、汎用バスに伝送する場合には、著作権保護処理を行わずに伝送するような無線ＬＡＮ−ＬＳＩ２１を無線ＡＶ受信装置３内に設けるため、ＡＶストリーム用信号線を有する無線ＡＶ受信装置３でも、汎用バスを有する無線ＡＶ受信装置３でも、同一の無線ＬＡＮ−ＬＳＩ２１を利用でき、それぞれ別個にＬＳＩを開発しなくて済むことから、ＬＳＩの開発コスト削減が図れる。
【００５３】
上述した実施形態では、汎用バス上に供給されるＡＶデータは、暗号化された状態で無線ＬＡＮ−ＬＳＩ４に入力される例を説明したが、汎用バス上の暗号化とは別個に、無線ＬＡＮ−ＬＳＩ４内で、汎用バス上のＡＶデータに対してＤＴＣＰ暗号化処理を行ってもよい。この場合の無線ＬＡＮ−ＬＳＩ４，２１の内部構成はそれぞれ例えば図１１及び図１２のようになる。図１１及び図１２の汎用バス暗号処理部１９，３９が汎用バス上のＡＶデータに対する著作権保護処理を行う。このとき、事前に汎用バスを介してＡＶデータをやり取りする相手（本実施例の場合ＣＰＵ上のＭＰＥＧソフトウエア）との間で認証鍵交換を行うことになる。
【００５４】
上述した各実施形態で説明した無線ＬＡＮ−ＬＳＩ４，２１は、ソフトウェアで実現することも可能である。その場合には、無線ＬＡＮ−ＬＳＩ４，２１の機能を実現するプログラムをフロッピー（登録商標）ディスクやＣＤ−ＲＯＭ等の記録媒体に収納し、コンピュータに読み込ませて実行させてもよい。記録媒体は、磁気ディスクや光ディスク等の携帯可能なものに限定されず、ハードディスク装置やメモリなどの固定型の記録媒体でもよい。
【００５５】
また、無線ＬＡＮ−ＬＳＩ４，２１の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００５６】
【発明の効果】
以上詳細に説明したように、本発明によれば、ＡＶストリーム用信号線上のＡＶデータと汎用バス上のＡＶデータのいずれも送信または受信できるようにしたため、おのおのの専用の集積回路を用意しなくて済み、集積回路の設計・製造コストを削減できる。
【図面の簡単な説明】
【図１】本発明に係るＡＶ通信システムの一実施形態の全体構成を示すブロック図。
【図２】図１の無線ＡＶ送信装置１の内部構成の一例を示すブロック図。
【図３】図１の無線ＡＶ送信装置１の内部構成の他の例を示すブロック図。
【図４】図２及び図３の無線ＡＶ送信装置のどちらでも利用可能な無線ＬＡＮ−ＬＳＩ４の内部構成の一例を示すブロック図。
【図５】ＡＶデータの入力端子を一つにまとめた無線ＬＡＮ−ＬＳＩ４の内部構成の一例を示すブロック図。
【図６】図１の無線ＡＶ受信装置３の内部構成の一例を示すブロック図。
【図７】図１の無線ＡＶ受信装置３の内部構成の他の例を示すブロック図。
【図８】図６及び図７の無線ＡＶ受信装置のいずれにも対応した無線ＬＡＮ−ＬＳＩ２１の内部構成の一例を示すブロック図。
【図９】外部接続端子を一つにまとめた無線ＬＡＮ−ＬＳＩの内部構成の一例を示すブロック図。
【図１０】図１のＡＶ通信システムにおけるＡＶデータの送受信シーケンスを示す図。
【図１１】汎用バス暗号処理部を追加した無線ＬＡＮ−ＬＳＩ４の内部構成の一例を示すブロック図。
【図１２】汎用バス暗号処理部を追加した無線ＬＡＮ−ＬＳＩ２１の内部構成の一例を示すブロック図。
【符号の説明】
１  無線ＡＶ送信装置
２  無線ネットワーク
３  無線ＡＶ受信装置
４  無線ＬＡＮ−ＬＳＩ
５  ＭＰＥＧ処理部
６  汎用バス
７  ＣＰＵ
８  メモリ
１１  クロック送信部
１２  ＤＴＣＰ処理部
１３  汎用バスＩ／Ｆ部
１４  バッファ
１５  セレクタ
１６  Ｉ／Ｆ選択部
１７  無線ＬＡＮ処理部
１８  セレクタ
２１  無線ＬＡＮ−ＬＳＩ
２２  ＭＰＥＧデコーダ
２３  表示部
２４  表示制御部
２５  汎用バス
２６  ＣＰＵ
２７  メモリ
２８  表示メモリ＆表示部
３１  無線ＬＡＮ処理部
３２  クロック抽出部
３３  セレクタ
３４  Ｉ／Ｆ選択部
３５  ＤＴＣＰ処理部
３６  バッファ
３７  汎用バスＩ／Ｆ部
【図１】
2004186812.tif 000003
【図２】
2004186812.tif 000004
【図３】
2004186812.tif 000005
【図４】
2004186812.tif 000006
【図５】
2004186812.tif 000007
【図６】
2004186812.tif 000008
【図７】
2004186812.tif 000009
【図８】
2004186812.tif 000010
【図９】
2004186812.tif 000011
【図１０】
2004186812.tif 000012
【図１１】
2004186812.tif 000013
【図１２】
2004186812.tif 000014